(57)【要約】【課題】蓄電池の電力を用いて試運転を行い、試運転後に蓄電池を切り忘れても、制御電源部から制御部への給電を自動的に停止し、蓄電池の過放電を防止する。【解決手段】電力変換装置１０は、変換器１１と連系端子２１と自立端子２２と制御部１２と制御電源部１３と電源管理部１４とを備える。変換器１１は、蓄電池３１を含んだ電力供給源３０が出力した電力を系統電源４１に相当する電力に変換する。制御電源部１３は、電力供給源３０と系統電源４１との一方の電力を用いて制御部１２に電力を供給する。電源管理部１４は、試運転が開始されると制御電源部１３から制御部１２に電力を供給する。また、電源管理部１４は、連系端子２１が電力系統４０と未接続である期間には、試運転の終了後に所定の条件が成立すると制御電源部１３から制御部１２への電力の供給を自動的に停止させる。【選択図】図１
2015080375.tif 000002
【特許請求の範囲】
【請求項１】
蓄電池を含んだ電力供給源が出力した電力を系統電源に相当する電力に変換する変換器と、
電力系統に接続され前記系統電源から受電可能である期間に前記変換器が接続される連系端子と、
前記系統電源が遮断されている期間に前記変換器が接続される自立端子と、
前記変換器を前記連系端子と前記自立端子との一方に選択的に接続させ、かつ前記変換器の動作を制御する制御部と、
前記連系端子が前記電力系統と未接続である期間に、前記電力供給源の電力を用いて前記制御部に電力を供給する制御電源部と、
試運転が開始されると前記制御電源部から前記制御部に電力を供給し、前記連系端子が前記電力系統と未接続である期間には、前記試運転の終了後に所定の条件が成立すると前記制御電源部から前記制御部への電力の供給を自動的に停止させる電源管理部とを備える
ことを特徴とする電力変換装置。
【請求項２】
前記電源管理部は、
前記条件を、前記試運転の終了が指示されてから所定の制限時間が経過することとする
請求項１記載の電力変換装置。
【請求項３】
前記電源管理部は、
前記条件を、前記試運転の終了が指示されてから前記制御電源部の出力電圧値が所定の閾値以上である状態が、所定の制限時間経過することとする
請求項１記載の電力変換装置。
【請求項４】
前記電源管理部は、
前記条件を、前記試運転の終了が指示されてから前記蓄電池の残容量が第１の閾値だけ低下したこととする
請求項１記載の電力変換装置。
【請求項５】
前記電源管理部は、
前記条件を、前記試運転の終了が指示されてから前記蓄電池の電池電圧が第２の閾値だけ低下したこととする
請求項１記載の電力変換装置。
【請求項６】
前記試運転の前に、前記制御電源部から前記制御部に電力供給の開始を指示するために手動で操作されるスイッチを備える
請求項１〜５のいずれか１項に記載の電力変換装置。
【請求項７】
前記スイッチは、押釦を押している間だけオンになるモメンタリ型の押釦スイッチであって、
前記電源管理部は、
前記制御電源部から前記制御部に電力を供給していない状態において、前記スイッチがオンの後にオフになったことを検知すると、前記制御電源部から前記制御部に電力を継続して供給する
請求項６記載の電力変換装置。
【請求項８】
前記制御電源部が出力する電圧値を監視する電圧監視部をさらに備え、
前記スイッチは、押釦を押している間だけオンになるモメンタリ型の押釦スイッチであって、
前記電源管理部は、
前記スイッチがオンである期間に前記制御電源部から前記制御部に給電された後に、スイッチがオフになったことにより前記電圧監視部が監視する前記電圧値が所定値まで低下したことを検知すると、前記制御電源部から前記制御部に電力を継続して供給する
請求項６記載の電力変換装置。
【発明の詳細な説明】
【技術分野】
【０００１】
本発明は、蓄電池を含む電力供給源からの電力を、系統電源に相当する電力に変換する電力変換装置に関する。
【背景技術】
【０００２】
近年、太陽電池により発電された電力と、蓄電池に蓄えた電力とを、需要家の電気負荷に供給可能にする分散型電源が普及しつつある。この種の分散型電源は、系統電源と等価に扱うために、系統電源から受電した電力を電気負荷に供給する経路に接続される（たとえば、特許文献１、特許文献２参照）。
【先行技術文献】
【特許文献】
【０００３】
【特許文献１】特開２０１０−１０７１０１号公報
【特許文献２】特開２０１２−７５２１６号公報
【発明の概要】
【発明が解決しようとする課題】
【０００４】
特許文献１、特許文献２には、分散型電源の試運転を行うことが記載されているが、分散型電源を施工した後に、分散型電源が系統電源と接続されていない状態での試運転についてはとくに言及がない。分散型電源を系統電源と接続していない状態での試運転では、利用可能な電源が分散型電源のみになる。とくに、分散型電源（電力供給源）が蓄電池であり場合、蓄電池の電力を用いて試運転を行った後に、蓄電池の電力の遮断を忘れていると、実使用時に蓄電池が過放電になるなど、蓄電池の劣化の原因になる可能性がある。
【０００５】
本発明は、蓄電池を用いて試運転を行った場合に、試運転後の切り忘れによる蓄電池の放電を防止する電力変換装置を提供することを目的とする。
【課題を解決するための手段】
【０００６】
本発明に係る電力変換装置は、蓄電池を含んだ電力供給源が出力した電力を系統電源に相当する電力に変換する変換器と、電力系統に接続され前記系統電源から受電可能である期間に前記変換器が接続される連系端子と、前記系統電源が遮断されている期間に前記変換器が接続される自立端子と、前記変換器を前記連系端子と前記自立端子との一方に選択的に接続させ、かつ前記変換器の動作を制御する制御部と、前記連系端子が前記電力系統と未接続である期間に、前記電力供給源の電力を用いて前記制御部に電力を供給する制御電源部と、試運転が開始されると前記制御電源部から前記制御部に電力を供給し、前記連系端子が前記電力系統と未接続である期間には、前記試運転の終了後に所定の条件が成立すると前記制御電源部から前記制御部への電力の供給を自動的に停止させる電源管理部とを備えることを特徴とする。
【０００７】
この電力変換装置において、前記電源管理部は、前記条件を、前記試運転の終了が指示されてから所定の制限時間が経過することとすることが好ましい。
【０００８】
この電力変換装置において、前記電源管理部は、前記条件を、前記試運転の終了が指示されてから前記制御電源部の出力電圧値が所定の閾値以上である状態が、所定の制限時間経過することとすることが好ましい。
【０００９】
この電力変換装置において、前記電源管理部は、前記条件を、前記試運転の終了が指示されてから前記蓄電池の残容量が第１の閾値だけ低下したこととすることが好ましい。
【００１０】
この電力変換装置において、前記電源管理部は、前記条件を、前記試運転の終了が指示されてから前記蓄電池の電池電圧が第２の閾値だけ低下したこととすることが好ましい。
【００１１】
この電力変換装置において、前記試運転の前に、前記制御電源部から前記制御部に電力供給の開始を指示するために手動で操作されるスイッチを備えることが好ましい。
【００１２】
この電力変換装置において、前記スイッチは、押釦を押している間だけオンになるモメンタリ型の押釦スイッチであって、前記電源管理部は、前記制御電源部から前記制御部に電力を供給していない状態において、前記スイッチがオンの後にオフになったことを検知すると、前記制御電源部から前記制御部に電力を継続して供給することが好ましい。
【００１３】
この電力変換装置において、前記制御電源部が出力する電圧値を監視する電圧監視部をさらに備え、前記スイッチは、押釦を押している間だけオンになるモメンタリ型の押釦スイッチであって、前記電源管理部は、前記スイッチがオンである期間に前記制御電源部から前記制御部に給電された後に、スイッチがオフになったことにより前記電圧監視部が監視する前記電圧値が所定値まで低下したことを検知すると、前記制御電源部から前記制御部に電力を継続して供給することが好ましい。
【発明の効果】
【００１４】
本発明の構成によれば、電力変換装置が電力系統と未接続である期間には、試運転の終了後に所定の条件が成立すると制御電源部から制御部への電力の供給を自動的に停止させる電源管理部を備えている。したがって、蓄電池を用いて試運転を行った場合に、試運転後に蓄電池を切り忘れていたとしても、制御電源部から制御部への給電が自動的に停止し、結果的に、蓄電池の切り忘れによる蓄電池の過放電を防止することが可能になる。
【図面の簡単な説明】
【００１５】
【図１】実施形態を示すブロック図である。
【図２】実施形態の動作説明図である。
【発明を実施するための形態】
【００１６】
図１に示すように、電力変換装置１０は、変換器１１と連系端子２１と自立端子２２と制御部１２と制御電源部１３と電源管理部１４とを備える。変換器１１は、蓄電池３１を含んだ電力供給源３０が出力した電力を系統電源４１に相当する電力に変換する。連系端子２１は、電力系統４０に接続され系統電源４１から受電可能である期間に変換器１１が接続される。自立端子２２は、系統電源４１が遮断されている期間に変換器１１が接続される。制御部１２は、変換器１１を連系端子２１と自立端子２２との一方に選択的に接続させ、かつ変換器１１の動作を制御する。制御電源部１３は、連系端子２１が電力系統４０と未接続である期間に、電力供給源３０の電力を用いて制御部１２に電力を供給する。電源管理部１４は、試運転が開始されると制御電源部１３から制御部１２に電力を供給する。また、電源管理部１４は、連系端子２１が電力系統４０と未接続である期間には、試運転の終了後に所定の条件が成立すると制御電源部１３から制御部１２への電力の供給を自動的に停止させる。
【００１７】
電源管理部１４は、前記条件を、試運転の終了が指示されてから所定の制限時間が経過することとするのが望ましい。また、電源管理部１４は、前記条件を、試運転の終了が指示されてから制御電源部１３の出力電圧値が所定の閾値以上である状態が、所定の制限時間経過することとしてもよい。
【００１８】
さらにまた、電源管理部１４は、前記条件を、試運転の終了が指示されてから蓄電池３１の残容量が第１の閾値だけ低下したこととしてもよい。あるいはまた、電源管理部１４は、前記条件を、試運転の終了が指示されてから蓄電池３１の電池電圧が第２の閾値だけ低下したこととしてもよい。
【００１９】
電力変換装置１０は、試運転の前に、制御電源部１３から制御部１２への電力供給の開始を指示するために手動で操作されるスイッチ１５を備えることが望ましい。
【００２０】
スイッチ１５は、押釦を押している間だけオンになるモメンタリ型の押釦スイッチであることが望ましい。この場合、電源管理部１４は、制御電源部１３から制御部１２に電力を供給していない状態において、スイッチ１５がオンの後にオフになったことを検知すると、制御電源部１３から制御部１２に電力を継続して供給する。
【００２１】
電力変換装置１０は、制御電源部１３が出力する電圧値を監視する電圧監視部１６をさらに備えていることが望ましい。また、スイッチ１５は、押釦を押している間だけオンになるモメンタリ型の押釦スイッチであることが望ましい。この場合、電源管理部１４は、スイッチ１５がオンである期間に制御電源部１３から制御部１２に給電された後に、スイッチ１５がオフになったことにより電圧監視部１６が監視する前記電圧値が所定値まで低下したことを検知すると、制御電源部１３から制御部１２に電力を継続して供給する。
【００２２】
以下、本実施形態の構成をさらに詳しく説明する。図１に示す電力変換装置１０は、連系端子２１と自立端子２２とを備え、さらに、蓄電池３１が接続される第１の接続端子２３と太陽電池３２が接続される第２の接続端子２４とを備える。本実施形態では、蓄電池３１と太陽電池３２とのうち少なくとも蓄電池３１が接続されていればよい。ただし、以下では、蓄電池３１と太陽電池３２との両方が電力変換装置１０に接続されている場合を例として説明する。なお、蓄電池３１は、蓄電池のセル、後述するブレーカ、セルの残容量および電池電圧を監視する構成などを備える装置を意味し、太陽電池３２は、太陽電池パネルを備える装置を意味する。
【００２３】
第１の接続端子２３および第２の接続端子２４と、連系端子２１および自立端子２２との間には、変換器１１が接続される。変換器１１は、第１の接続端子２３を通して蓄電池３１と接続される第１の変換部１１１と、第２の接続端子２４を通して太陽電池３２と接続される第２の変換部１１２とを備える。第１の変換部１１１および第２の変換部１１２は直流−直流変換を行う機能を有する。第１の変換部１１１は、蓄電池３１の充電と放電とを行うために直流電力の電圧を双方向に調節する。また、第２の変換部１１２は、太陽電池３２から出力される直流電力の電圧または電流を調節する。
【００２４】
変換器１１は、第１の変換部１１１および第２の変換部１１２に加えて、直流電力と交流電力との間で双方向に変換する第３の変換部１１３を備える。第３の変換部１１３は、第１の変換部１１１と第２の変換部１１２とから出力される直流電力を、系統電源４１に相当する交流電力に変換し、また、系統電源４１の交流電力を第１の変換部１１１に入力するための直流電力に変換する。すなわち、第３の変換部１１３は、直流側の端子と交流側の端子とを備えており、直流側の端子は第１の変換部１１１および第２の変換部１１２に接続され、交流側の端子は連系端子２１および自立端子２２に接続される。
【００２５】
第３の変換部１１３と連系端子２１および自立端子２２との間には、連系端子２１と自立端子２２とを選択する切替器（図示せず）が挿入される。図１において、連系部１８および自立部１９は、それぞれ切替器を構成するリレー、ブレーカなどを含む。第３の変換部１１３と連系端子２１および自立端子２２との間は、他の構成であってもよいが、要旨ではないから説明を省略する。
【００２６】
変換器１１と連系部１８と自立部１９との動作は、制御部１２が制御する。制御部１２は、プログラムに従って動作するプロセッサを備えたデバイスを主なハードウェア要素として備える。この種のプロセッサはメモリが別に必要な構成のほか、プロセッサがメモリと一体であるマイコン（マイクロコントローラ）であってもよい。プログラムは、ＲＯＭ（Read Only Memory）に書き込まれていてもよいが、プログラムのアップデートが可能になるように、インターネットのような電気通信回線を通して提供されるか、コンピュータで読取可能な記録媒体によって提供されることが望ましい。
【００２７】
変換器１１の動作、連系部１８および自立部１９の動作は、系統電源４１から受電可能な状態か、系統電源４１が停電している状態かに応じて制御部１２が選択する。系統電源４１から受電可能か系統電源４１が停電しているかは、電圧センサ（図示せず）により計測される電圧を監視することにより判断される。この電圧センサは、系統電源４１から受電した電力を需要家の電気負荷（図示せず）に供給する電路において、分電盤の主幹ブレーカ（図示せず）よりも上流側（系統電源４１側）に設けられる。電力変換装置１０は、この電圧センサの出力を用いることにより、系統電源４１から受電可能か、系統電源４１が停電しているかを判断する。
【００２８】
系統電源４１から受電可能である期間には、制御部１２は、第３の変換部１１３の交流側の端子を連系端子２１に接続する。連系端子２１は、分電盤の上流側（一次側）に接続され、蓄電池３１と太陽電池３２との少なくとも一方に由来する電力を、系統電源４１から受電した電力と併せて分電盤に与える。したがって、系統電源４１から受電可能な期間は、分電盤に接続された電気負荷に系統電源４１と蓄電池３１と太陽電池３２とのいずれかからの電力が供給される。
【００２９】
このとき、電気負荷で消費する電力よりも太陽電池３２に由来する電力のほうが多ければ、太陽電池３２が発電した電力を電力系統４０に逆潮流させることが可能である。系統電源４１から受電した電力と、太陽電池３２が発電した電力とは、蓄電池３１の充電に利用することも可能である。ただし、蓄電池３１に由来する電力は、電力系統４０に逆潮流させることが禁止される。
【００３０】
このように、連系端子２１は、系統電源４１から受電した電力で蓄電池３１を充電する経路と、蓄電池３１と太陽電池３２とから出力された電力を系統電源４１と等価な電力として主幹ブレーカの１次側に供給する経路とに用いられる。連系端子２１を通して主幹ブレーカの１次側に供給された電力のうち太陽電池３２が発電した電力は、電気負荷で消費されるか、電力系統４０に逆潮流される。連系端子２１を通して主幹ブレーカの１次側に供給された電力のうち蓄電池３１から出力された電力は、電力系統４０に逆潮流されず、電気負荷で消費されるように、第１の変換部１１１の出力が調節される。また、太陽電池３２が発電した電力は、連系端子２１に供給されるだけではなく、必要に応じて蓄電池３１の充電に用いられる。
【００３１】
一方、系統電源４１が停電している期間には、制御部１２は、第３の変換部１１３の交流側の端子を自立端子２２に接続する。自立端子２２は、系統電源４１の停電時に動作させる必要がある電気負荷（以下、「特定負荷」という）に、蓄電池３１と太陽電池３２との電力を供給するために設けられている。自立端子２２は、分電盤において主幹ブレーカの２次側に接続される。自立端子２２から特定負荷に電力を供給するには、特定負荷だけを接続した自立分電盤を設けるか、分電盤に設けられた一部の分岐ブレーカに特定負荷を接続する。そして、系統電源４１の停電時には、自立端子２２から特定負荷への経路のみが導通するように、電力の供給経路を制御する。
【００３２】
系統電源４１から受電可能か系統電源４１が停電しているかに応じて第３の変換部１１３に連系端子２１と自立端子２２との一方を接続する処理、変換器１１の動作を制御する処理などは、制御部１２が行うが要旨ではないので、詳述しない。
【００３３】
ところで、電力変換装置１０が設置された状態において、蓄電池３１と太陽電池３２との少なくとも一方は電力変換装置１０に接続可能であるが、電気事業者との契約上、電力変換装置１０の連系端子２１を主幹ブレーカの１次側に接続することはできない。また、自立端子２２についても、特定負荷を電力系統４０から切り離した状態でなければ、特定負荷と接続することはできない。
【００３４】
一方、電力変換装置１０が設置された状態で、実際の運用を開始する前に、電力供給源３０と電力変換装置１０との試運転を行うことが要求される。このような状況では、試運転のための電力は、蓄電池３１と太陽電池３２とのいずれかから供給されることになる。本実施形態は、蓄電池３１と太陽電池３２との両方が電力変換装置１０に接続されていることを想定しているから、蓄電池３１と太陽電池３２とのどちらの電力でも使用可能である。
【００３５】
太陽電池３２の出力は不安定であり、雨天、曇天、夜間などには発電しないか発電する電力が低下するから、太陽電池３２の出力では試運転を行えない場合がある。このような場合、試運転には、蓄電池３１が出力する電力を用いることになる。また、晴天であっても自立端子２２から特定負荷に電力を供給するような試運転を行う場合には、太陽電池３２に加えて、蓄電池３１も動作させる。このように、蓄電池３１の電力を用いて試運転を行う場合には、蓄電池３１の電力を取り出すために、蓄電池３１に内蔵したブレーカをオンにする必要がある。
【００３６】
一方、蓄電池３１が蓄えている電力には制限があるから、試運転の後に制御電源部１３への電力の供給が継続されていると、蓄電池３１の放電が継続されることになる。そのため、試運転の後に相当の期間を経てから連系端子２１を系統電源４１に接続すると、系統電源４１との接続時点において、蓄電池３１の残容量が基準値以下に低下していることがあり、蓄電池３１の残容量の回復に時間を要する場合がある。また、場合によっては、蓄電池３１が過放電になり、蓄電池３１が劣化する可能性もある。
【００３７】
そのため、試運転における手順では、電力変換装置１０の試運転の後に、蓄電池３１に内蔵したブレーカをオフにする作業が推奨されている。しかしながら、電力変換装置１０と蓄電池３１とは必ずしも隣接して設けられているわけではなく、また、たとえ電力変換装置１０と蓄電池３１とが隣接して配置されていたとしても、２台の装置を作業者が操作すると作業ミスが生じやすくなる。
【００３８】
本実施形態は、試運転の終了後に蓄電池３１の電力ができるだけ消費されないようにするために、制御電源部１３から制御部１２への電力の供給を管理する電源管理部１４が設けられている。電源管理部１４は、連系端子２１が電力系統４０と未接続である期間には、試運転の終了後に所定の条件が成立したことをもって制御電源部１３から制御部１２への電力の供給を自動的に停止させる。
【００３９】
上述のように、電源管理部１４は、系統電源４１から受電できない期間であって、太陽電池３２が発電する電力では制御部１２への電力を充足できない期間において、試運転後に制御電源部１３から制御部１２への電力の供給を自動的に停止させる。つまり、電源管理部１４は、系統電源４１が停電している期間にも、電力系統４０と未接続である期間と同様に動作する。言い換えると、試運転の終了後に、制御部１２が動作する電力を太陽電池３２が発電する電力で充足できる場合、電源管理部１４は、制御電源部１３から制御部１２への電力の供給を継続させてもよい。この場合でも、太陽電池３２が発電する電力が低下し、制御部１２に対して蓄電池３１の電力が使用されるようになると、電源管理部１４は、以下の条件の成立をもって制御電源部１３から制御部１２への電力の供給を自動的に停止させる。
【００４０】
電力変換装置１０は、試運転の開始前に制御部１２への電力の供給を指示するために、手動で操作されるスイッチ１５が付設される。制御部１２への電力の供給を指示する構成は、スイッチ１５に限らず、電力変換装置１０に接続される支援装置などであってもよい。また、スイッチ１５は、押釦を押している間だけオンになるモメンタリ型の押釦スイッチを用いることが望ましい。スイッチ１５は、押釦スイッチに限らず、タンブラスイッチなどの他の構成のスイッチを用いることも可能である。なお、スイッチ１５は、誤って操作されることがないように、電力変換装置１０の筐体内に配置されることが望ましい。あるいは、スイッチ１５の押釦を覆うカバーが設けられていてもよい。
【００４１】
蓄電池３１および太陽電池３２が電力変換装置１０に接続されている状態で、電力変換装置１０の試運転を行うには、蓄電池３１が内蔵するブレーカをオンにして、蓄電池３１の充電および放電を可能にする。試運転時には、太陽電池３２が発電するか否かにかかわらず、蓄電池３１のブレーカはオンになるように操作される。その後、電源管理部１４が、制御電源部１３から制御部１２に電力を供給していない状態でスイッチ１５がオンの後にオフになったことを検知すると、制御電源部１３から制御部１２に電力を供給する。
【００４２】
電力変換装置１０は、表示器と操作器とを備えるリモコン装置５０を付設するための通信インターフェイス部１７が設けられている。リモコン装置５０は、電力変換装置１０の動作状態を表示器に表示する機能を有している。したがって、スイッチ１５の操作前に、制御電源部１３から制御部１２に電力が供給されているか否かを、リモコン装置５０に設けられた表示器の表示内容によって知ることが可能である。
【００４３】
電源管理部１４は、スイッチ１５がオンになると、第１の変換部１１１を通して蓄電池３１から制御電源部１３に電力を供給する。第１の変換部１１１と制御電源部１３との少なくとも一方は、電圧を安定化させるためのキャパシタ（図示せず）を備えている。また、電力変換装置１０は、制御電源部１３が出力する電圧値を監視する電圧監視部１６を備えている。
【００４４】
電圧監視部１６は、スイッチ１５がオンからオフになり、キャパシタが放電することによって制御電源部１３から制御部１２に供給される電力の電圧値が所定値まで低下すると電源管理部１４に通知する。電源管理部１４は、この通知を電圧監視部１６から受けると、制御電源部１３から制御部１２への電力の供給を継続させる。言い換えると、制御電源部１３から制御部１２に電力を供給していない状態において、スイッチ１５をオンにしてからオフにすると、制御電源部１３から制御部１２への電力の供給が継続され、制御部１２の動作が可能になる。
【００４５】
制御部１２が動作すると、リモコン装置５０にも電力が供給され、リモコン装置５０を操作することが可能になる。試運転の開始は、リモコン装置５０の操作によって開始される。
【００４６】
試運転では、所定の項目について自動または手動で動作を確認する。試運転の内容については要旨ではないから説明しない。試運転の終了は、リモコン装置５０の操作により、電源管理部１４に指示する。試運転が終了すると、蓄電池３１の出力を停止させるために、蓄電池３１に設けられたブレーカをオフにすることが望ましい。試運転の終了後に蓄電池３１のブレーカをオフにするのは正式な作業手順であるが、上述したように、試運転の終了後における作業手順は忘れられる場合がある。
【００４７】
そのため、本実施形態は、試運転の終了を電源管理部１４に指示する操作のみで、電源管理部１４が、制御電源部１３から制御部１２への電力の供給を防止するように構成されている。具体的には、電源管理部１４は、試運転の終了が指示されると、以下の４種類の条件（１）〜（４）のいずれかを用いて、制御電源部１３から制御部１２への電力の供給を停止させる。
条件（１）：試運転の終了が指示されてから所定の制限時間が経過すること。
条件（２）：試運転の終了が指示されてから制御電源部１３の出力電圧値が所定の閾値以上である状態が、所定の制限時間経過すること。
条件（３）：試運転の終了が指示されてから蓄電池３１の残容量が第１の閾値だけ低下したこと。
条件（４）：試運転の終了が指示されてから蓄電池３１の電池電圧が第２の閾値だけ低下したこと。
【００４８】
条件（１）〜（４）は単独で用いればよい。ただし、２つ以上の条件を組み合わせてもよい。条件の組み合わせ方は、いずれか１つの条件が成立することとする場合（論理和）、２つ以上の条件が成立することとする場合（論理積）、２つ以上の条件が所定の順番で成立することとする場合などが考えられる。なお、条件（１）（２）における制限時間は、制御部１２に設けられる（Real Time Clock）により計時される。条件（２）における閾値は、制御部１２が動作可能な電圧値として定められ、また制御電源部１３の出力電圧値は、電圧監視部１６が監視する。条件（３）の残容量、条件（４）の電池電圧は、蓄電池３１が備える構成によって検出され、電源管理部１４に通知される。
【００４９】
図２に上述した電力変換装置１０の動作を簡単に示す。図２では、試運転の後に、制御電源部１３から制御部１２への給電を停止させるために条件（１）を用いている。図３（ａ）は、自立端子２２の出力を表している。また、図２（ｂ）は蓄電池３１が出力する電圧値を示しており、図２（ｃ）は電力変換装置１０が使用する電力値を示している。
【００５０】
電力変換装置１０の試運転を行うには、時刻ｔ１において、蓄電池３１に設けられたブレーカをオンにする。時刻ｔ１では、蓄電池３１が出力する電圧値は立ち上がるが、電源管理部１４は、制御部１２に電力を供給していない。したがって、時刻ｔ１においてブレーカをオンにしても、制御部１２では電力を消費しない。
【００５１】
次に、図２（ｄ）のように、時刻ｔ２においてスイッチ１５をオンにし、時刻ｔ３においてスイッチ１５をオフにすると、時刻ｔ２において、図２（ｅ）のように制御電源部１３が出力する電圧値が立ち上がり、電源管理部１４は、図２（ｆ）のように、制御部１２に入力する電圧値を立ち上げる。時刻ｔ３において、図２（ｄ）のように、スイッチ１５がオフになると、図２（ｅ）のように制御電源部１３が出力する電圧値は、時間経過に伴って徐々に低下する。また、電源管理部１４は、図２（ｆ）のように、制御部１２に入力する電圧値を立ち下げる。
【００５２】
電圧監視部１６は、制御電源部１３が出力する電圧を監視しており、制御電源部１３が出力する電圧値が、時刻ｔ４において、所定値まで低下すると、電圧監視部１６は制御部１２に通知し、制御部１２からの信号によって電源管理部１４は、時刻ｔ４において、図２（ｅ）（ｆ）のように、それぞれの電圧値を立ち上げる。なお、時刻ｔ４において制御電源部１３が出力する電圧値が所定値まで低下したときに、電圧監視部１６が制御部１２ではなく電源管理部１４に直接指示する構成を採用してもよい。
【００５３】
時刻ｔ４の後は、制御電源部１３から制御部１２に入力される電圧が所定値に維持されるから、制御電源部１３から制御部１２に電源が供給され試運転が可能になる。図示例では、以後の時刻ｔ５から時刻ｔ６の期間に試運転が行われている。試運転の期間（時刻ｔ５から時刻ｔ６）には、図２（ｂ）のように、蓄電池３１の出力電圧が変動し、また、図２（ｃ）のように、試運転のために使用する電力が増加する。
【００５４】
図示例では、時刻ｔ６において、電源管理部１４に試運転の終了が通知されている。この時点では、制御電源部１３は、図２（ｅ）のように、制御電源部１３は出力する電圧値を維持し、電源管理部１４は、図２（ｆ）のように、制御部１２に供給する電圧値を維持する。その後、時刻ｔ６から所定時間が経過し、時刻ｔ７になると、電源管理部１４は、図２（ｆ）のように、制御部１２への電力の供給を停止させ、結果的に、蓄電池３１の電力の消費を停止させる。
【００５５】
以上のように、電力変換装置１０の試運転の終了をリモコン装置５０で指示すると、その指示から所定時間の経過後に、蓄電池３１から制御部１２への電力の供給が停止し、結果的に、電力変換装置１０で蓄電池３１の電力が消費されることがなくなる。つまり、試運転の後に、蓄電池３１に設けられたブレーカを切り忘れたとしても、試運転の後には、蓄電池３１の電力が電力変換装置１０で消費されることがなく、蓄電池３１が過放電になる可能性を低減することが可能である。
【００５６】
上述した動作例では、制御電源部１３から制御部１２に電力を供給するための指示をスイッチ１５の操作によって行い、その後、リモコン装置５０を用いて試運転の開始および終了を指示している。ただし、リモコン装置５０を用いずに、スイッチ１５の操作によって、制御部１２への電源供給の開始を指示するだけではなく、試運転の開始を指示する構成を採用してもよい。
【００５７】
なお、上述した構成例において、電力供給源３０は、蓄電池３１に加えて太陽電池３２を用いる構成例を示したが、蓄電池３１のみであってもよい。また、自然エネルギーにより発電する発電装置であれば、太陽電池３２に代えて、風力、水力、地熱などのエネルギーを用いて発電する構成でもよい。
【符号の説明】
【００５８】
１０  電力変換装置
１１  変換器
１２  制御部
１３  制御電源部
１４  電源管理部
１５  スイッチ
１６  電圧監視部
２１  連系端子
２２  自立端子
３０  電力供給源
３１  蓄電池
３２  太陽電池（発電装置）
４０  電力系統
４１  系統電源
【図１】
2015080375.tif 000003
【図２】
2015080375.tif 000004